(57)【特許請求の範囲】
【請求項１】
線材により前側部，底辺部及び傾斜部から成る側面直角三角形状体の部材を複数個適当間隔をおいて立設し、この各部材の前記前側部間には横杆を架設し、前記傾斜部と前記底辺部間には縦杆を架設し、前記傾斜部間には稜杆を架設し、前記底辺部間には底杆を架設し、前記底辺部の前側部寄りの底辺部及び後側底辺部の各裏面に支板を設けて成る雪止め本体から成ることを特徴とする屋根用雪止め具。
【請求項２】
請求項１に記載した雪止め具を屋根面上の適当位置において、屋根の形態に合わせて設ける任意の取付部材を雪止め本体の後側底辺部の支板に連結するようにして成る屋根用雪止め具取付装置。
【発明の詳細な説明】
【技術分野】
【０００１】
本発明は、瓦，スレート，堅平葺，横葺，折版，瓦棒等の各種の屋根面上に取付ける屋根用雪止め具及びその取付装置に関するものである。
【背景技術】
【０００２】
従来、前記屋根用の雪止め具としては、積雪の滑り止めのために屋根面上に千鳥状に雪止め金具を設置したり、軒先に大型の網部材を設置したりしていたが、いずれも積雪の滑り止めには効果的であっても、積雪が融けることなく圧雪や凍結によって残り、消雪するまでには長期間を要していた。また、屋根の美観上も問題となっていた。
【０００３】
そこで、このような課題を解決することを目的とする公知技術としては、次のようなものが見られるところである。
【先行技術文献】
【特許文献】
【０００４】
【特許文献１】特許第３５１０４１３号公報
【特許文献２】特許第３５４７９９８号公報
【０００５】
このうち、特許文献１は従来どおりの雪止め用の羽根板を設置しているものであるため、積雪に対する融雪速度が極めておそくなるのみならず、それによる圧雪と凍結によって融雪停滞という逆効果しかないし、特許文献２についても、屋根勾配や屋根長さや積雪量などを勘案すると、融雪機能は殆んどないものである。
【発明の概要】
【発明が解決しようとする課題】
【０００６】
そこで、本発明は、屋根面上の積雪に対する雪止めとともに融雪効果を高めるための雪止め具及びその取付装置を提供することを目的とするものである。
【課題を解決するための手段】
【０００７】
本発明は、線材により前側部，底辺部及び傾斜部から成る側面直角三角形状体の部材を複数個適当間隔をおいて立設し、この各部材の前記前側部間には横杆を架設し、前記傾斜部と前記底辺部間には縦杆を架設し、前記傾斜部間には稜杆を架設し、前記底辺部間には底杆を架設し、前記底辺部の前側部寄りの底辺部及び後側底辺部の各裏面に支板を設けて成る雪止め本体から成る屋根用雪止め具である。
【０００８】
このように構成する雪止め具をそれぞれ屋根の法面上の適当位置において、屋根の形態に合わせて設ける任意の取付部材を雪止め本体の後側底辺部の支板に連結するように成る屋根用雪止め具の取付装置である。
【発明の効果】
【０００９】
本雪止め本体は、直接屋根面上の任意位置に点在して取付けておくものであるが、各雪止め本体の周囲に降雪による溜まりが起ろうとしても、本体内部との空気の流通は円滑に行われているから、雪止めとともに降雪に対する溶融現象は促進されるようになる。
【００１０】
また、本雪止め本体の線材は降雪に対する抵抗面積が小さいから、本体周囲における雪溜まりによる凍結は殆んど起らない。
【００１１】
また、降雪時期でない季節にあっては、線材による本体の形態は殆んど目立つようなものではないから、屋根の美観を害することはなく常に良好な状態に維持することができるようになる。
【図面の簡単な説明】
【００１２】
【図１】実施例１の取付装置の斜視図
【図２】実施例１の雪止め本体の側面図
【図３】図１Ａ−Ａ線の断面図
【図４】（ａ）（ｂ）は本体の取付状態を示す一屋根面の状態図
【図５】実施例２の取付装置の斜視図
【図６】図５Ｂ−Ｂ線の断面図
【図７】（ａ）（ｂ）は本体の取付状態を示す一屋根面の状態図
【図８】実施例３の取付装置の斜視図
【図９】図８Ｃ−Ｃ線の断面図
【図１０】本体の取付状態を示す一屋根面の状態図
【図１１】実施例４の取付装置の斜視図
【図１２】図１１の雪止め本体の側面図
【図１３】図１１Ｄ−Ｄ線の断面図
【図１４】図１１の取付状態を示す一屋根面の状態図
【発明を実施するための形態】
【００１３】
本発明に係る雪止め具の雪止め本体の構造は、基本的にいずれも同一の技術的思想から成るものであるが、図示している４つの実施例について、その取付装置をそれぞれ説明する。
【００１４】
実施例１の場合は、所定の屋根葺工事と同時に雪止め具を屋根の法面に取付けるものであり、所定の取付部材の前側水平部を，雪止め本体の直角三角形状体の底辺部の支板中央部に対し曲折して掛止めした後、取付け部材中央の巾広状折畳部を，予め曲折している屋根板の前端曲折部に挿入して取付ける。かかる状態においては、取付部材の後側水平部は屋根上方部の下地材上に配置しそこで釘等で固着する。
【００１５】
しかる後に、次の屋根板の前端曲折部を、取付部材の巾広状折畳部を含めて前記屋根板の後端曲折部に掛止めて全体を被套するようにする。（以上につき、図４（ａ）（ｂ）を参照）
【００１６】
実施例２の場合は、所定の屋根葺工事と同時に雪止め具を屋根の法面に取付けるもので、所定の取付部材の長尺の取付板部の後側部を屋根上方部の下地材上に配置しそこで釘等で固着する。
【００１７】
しかる後に、取付部材の取付板部の前側部を，雪止め本体の直角三角形状体の底面部の支板中央部に曲折掛止めした後、次の屋根板を前記取付板部の後側部に被套して固着する。（以上につき、図７（ａ）（ｂ）を参照）
【００１８】
実施例３の場合は、雪止め本体の取付け工事は、横葺き屋根における後付け工事として行われる。
【００１９】
即ち、雪止め本体の後側部の底辺部と左右両側間の支板に対し、噛合部材を後部に有する取付部材の前側部を曲折掛止めして取付けた後に、上下の屋根板の後端曲折部と後端曲折部との接合部分に前記噛合部材を噛み込むようにして固定する。（以上につき、図１０を参照）
【００２０】
実施例４の場合は、堅平葺き屋根における後付け工事として行われる。
【００２１】
即ち、堅平葺き屋根の所定部分に対し、取付部材の前側部を、雪止め本体の直角三角形状体の底辺部の凸状に立上る中央支板に曲折掛止めして連結した後、取付部材の内部に挟合した堅平部分を固定する。（以上につき、図１４を参照）
【実施例１】
【００２２】
本発明においては、その実施例として４種類の雪止め取付装置を挙げているが、このうち、実施例１及び２は屋根の施工と同時に取付ける先付け式の雪止め具であり、実施例３及び４は屋根の施工後に取付ける後付け式の雪止め具である。また、雪止め本体の構成は、第４実施例における取付装置で若干相違する以外は、全部共通して成るものであるから、まず雪止め本体について説明する。
【００２３】
１は全体が線材により側面直角三角形状体に成る雪止め本体で、この雪止め本体の垂直状の前側部２は適当高さに形成する。
【００２４】
３は前記本体１の前側部２と一体に成る水平の底辺部である。
【００２５】
４は前記本体１の前側部２の上端から後側方にかけて前記底辺部の後端まで傾斜状に成る傾斜部である。
【００２６】
前記本体１は、前側部２，底辺部３及び傾斜部４から成る直角三角形状体の線材が間隔をおいて４本立設する中で、隣接し合う前側部２間には底辺部から頂部にかけて複数の横杆５，５，５，５を架設する。
【００２７】
また、最外側２本の底辺部３と傾斜部４との間の一部には、各１本の縦杆６，６を架設する。
【００２８】
さらに、隣接し合う傾斜部４間には左右横方向に適当間隔をおいて複数の稜杆７，７，７を架設する。
【００２９】
８，８，８は前記本体１の底辺部３，３，３，３の左右両側部間に架設した複数の底杆である。
【００３０】
９，９は前記左右両側の直角三角形状体に成る本体１の前側部２寄りの底辺部３の裏面に設置した支板で、この支板と同形の支板１０，１０は直角三角形状体から成る雪止め本体１の左右両側部間の後側底辺部３の裏面にも設置する。
【００３１】
前記雪止め本体１は、前後左右両端部に設けた前記支板９，９及び同形の支板１０，１０を介して、屋根の法面上に配置することになる。
【００３２】
実際の施工は、取付部材１１において巾広状に成る折畳部１２を、予め一屋根板Ａの後端曲折部に係合するとともに取付部材１１の後側水平部１４を屋根下地部に固着した後、他屋根板Ａ’の前端曲折部を前記一屋根板Ａの後側曲折部に係合連結して被套するようにする（図４（ａ）（ｂ）を参照）。
【００３３】
１３は前記取付部材１１の前側水平部で、この前側水平部は取付部材１１の取付け時には、前記雪止め本体１の直角三角形状体の底辺部３，３の支板１０の中央部に曲折係合した掛止部１３’を構成するが、これは施工作業時に行われる。
【実施例２】
【００３４】
図５乃至図７に示したものが第２実施例であり、符号１乃至１０は実施例１と同一の雪止め本体１を示すものであるから、その説明は省略し、屋根面への取付部材についてのみ説明する。
【００３５】
１５は長尺の取付板部で、その中間部に釘孔を有する取付板部の後側部１７は屋根下地部に固着するが、反対の前側部１６はこれを延長し、雪止め本体１の直角三角形状体の底辺部３，３の中央支板１０に曲折係合し掛止めするようになる。
【００３６】
図７（ａ）（ｂ）は屋根板Ａ，Ａ’を重ね合わせて取付板部１５を被套する状態を示している。
【実施例３】
【００３７】
図８乃至図１０に示したものが第３実施例であり、符号１乃至１０は実施例１と同一の雪止め本体１を示すものであるから、その説明は省略し、屋根面への取付部材についてのみ説明する。
【００３８】
１８，１８はその後部に噛合部材２０，２０を設けた取付部材で、この取付部材の前側部１９，１９はこれを雪止め本体１の直角三角形状体の底辺部３，３の左右側の支板１０に曲折係合し掛止めするようになる。
【００３９】
図１０は曲折接合した上下の屋根板の接合部分に２個の噛合部材２０，２０を噛み合わせて固定するものである。
【実施例４】
【００４０】
図１１乃至図１４に示したものが第４実施例であり、符号１乃至１０は実施例１と同一の雪止め本体１を示すものであるから、その説明は省略し、屋根面への取付部材についてのみ説明する。
【００４１】
２１は堅平葺き屋根の所定部分を挟合保持する取付部材で、この取付部材の前側部２２は前記雪止め本体１の直角三角形状体の底辺部３，３の凸状に立上る中央支板１０’に曲折係合する掛止部２３を構成する。
【符号の説明】
【００４２】
１                    雪止め本体
２                    前側部
３                    底辺部
４                    傾斜部
５，５，５，５        横杆
６，６                縦杆
７，７，７            稜杆
８，８，８            底杆
９，９                支板
１０，１０            支板
１０’                中央支板
１１                  取付部材
１２                  折畳部
１３                  前側水平部
１３’                掛止部
１４                  後側水平部
１５                  取付板部
１６                  前側部
１７                  後側部
１８，１８            取付部材
１９，１９            前側部
２０，２０            噛合部材
２１                  取付部材
２２                  前側部
２３                  掛止部
【図１】
0005558055.tif 000002
【図２】
0005558055.tif 000003
【図３】
0005558055.tif 000004
【図４】
0005558055.tif 000005
【図５】
0005558055.tif 000006
【図６】
0005558055.tif 000007
【図７】
0005558055.tif 000008
【図８】
0005558055.tif 000009
【図９】
0005558055.tif 000010
【図１０】
0005558055.tif 000011
【図１１】
0005558055.tif 000012
【図１２】
0005558055.tif 000013
【図１３】
0005558055.tif 000014
【図１４】
0005558055.tif 000015